(57)【特許請求の範囲】
【請求項１】
コンテンツを配信する第一通信サーバと、当該コンテンツを配信するための帯域を制御する帯域制御装置と、セッション制御装置とを備え、
前記第一通信サーバが、
所定の帯域を用いて通信装置にコンテンツを送信する送信手段と、
前記コンテンツから特定の部分コンテンツを識別するコンテンツ識別手段と、
前記コンテンツ識別手段が前記部分コンテンツを検知した場合、当該部分コンテンツを送信するための帯域の変動を要求するリソース要求手段とを含み、
前記帯域制御装置が、前記リソース要求手段の要求に応じて帯域変動を行う帯域変動手段を含み、
前記セッション制御装置が、前記第一通信サーバ及び他の通信装置間の帯域予約状況を参照して、前記部分コンテンツの配信が予定されているか否かを判断し、配信が予定されていない他の通信に優先して帯域変動を行うよう前記帯域変動手段に指示する指示手段を含み、
前記送信手段は、前記帯域変動手段によって変動された帯域を用いて前記部分コンテンツを送信する、コンテンツ配信システム。
【請求項２】
コンテンツを配信する第一通信サーバと、当該コンテンツを配信するための帯域を制御する帯域制御装置と、当該コンテンツの配信を受ける通信装置と、セッション制御装置とを備え、
前記第一通信サーバが、所定の帯域を用いて通信装置にコンテンツを送信する送信手段を含み、
前記通信装置が、
前記コンテンツから特定の部分コンテンツを識別するコンテンツ識別手段と、
前記コンテンツ識別手段が前記部分コンテンツを検知した場合、当該部分コンテンツを送信するための帯域の変動を要求するリソース要求手段とを含み、
前記帯域制御装置が、前記リソース要求手段の要求に応じて帯域変動を行う帯域変動手段を含み、
前記セッション制御装置が、前記第一通信サーバ及び他の通信装置間の帯域予約状況を参照して、前記部分コンテンツの配信が予定されているか否かを判断し、配信が予定されていない他の通信に優先して帯域変動を行うよう前記帯域変動手段に指示する指示手段を含み、
前記送信手段は、前記帯域変動手段によって変動された帯域を用いて前記部分コンテンツを送信する、コンテンツ配信システム。
【請求項３】
さらに、前記部分コンテンツを識別するためのファイル名と、当該部分コンテンツを送信すべき帯域に関する帯域情報とを対応付けて保持する記憶部を備え、
前記コンテンツ識別手段は前記記憶部を参照し、前記ファイル名に基づき前記部分コンテンツを特定し、
前記リソース要求手段は、特定された前記部分コンテンツに対応する帯域情報に基づき帯域の変動を要求する、請求項１又は２に記載のコンテンツ配信システム。
【請求項４】
前記部分コンテンツは、送信すべき帯域に関する帯域情報を含み、
前記リソース要求手段は、前記部分コンテンツに含まれる帯域情報に基づき帯域の変動を要求する、請求項１〜３のいずれか一項に記載のコンテンツ配信システム。
【請求項５】
さらに、前記コンテンツに関する情報を配信する第二通信サーバを備え、
前記コンテンツに関する情報には前記第一通信サーバにアクセスするための情報が含まれ、
前記部分コンテンツは広告である、請求項１〜４のいずれか一項に記載のコンテンツ配信システム。
【請求項６】
前記コンテンツ識別手段は、前記部分コンテンツを検知したときに前記第一通信サーバのリソースを確保する、請求項１，３〜５のいずれか一項に記載のコンテンツ配信システム。
【請求項７】
さらに、前記コンテンツを配信するための帯域を確保する帯域確保手段を備え、
前記送信手段は、前記帯域確保手段によって確保された帯域を用いて前記コンテンツの送信を開始する、請求項１〜６のいずれか一項に記載のコンテンツ配信システム。
【請求項８】
第一通信サーバが所定の帯域を用いて通信装置にコンテンツを送信する送信ステップと、
前記第一通信サーバが、前記コンテンツから特定の部分コンテンツを識別するコンテンツ識別ステップと、
前記第一通信サーバが、前記コンテンツ識別ステップにおいて前記部分コンテンツが検知された場合、当該部分コンテンツを送信するための帯域の変動を要求するリソース要求ステップと、
前記コンテンツを配信するための帯域を制御する帯域制御装置が、前記リソース要求ステップにおける要求に応じて帯域変動を行う帯域変動ステップと、
セッション制御装置が、前記第一通信サーバ及び他の通信装置間の帯域予約状況を参照して、前記部分コンテンツの配信が予定されているか否かを判断し、配信が予定されていない他の通信に優先して帯域変動を行うよう前記帯域制御装置に指示する指示ステップとを備え、
前記第一通信サーバは、前記帯域変動ステップにおいて変動された帯域を用いて前記部分コンテンツを送信する、コンテンツ配信方法。
【請求項９】
第一通信サーバが所定の帯域を用いて通信装置にコンテンツを送信する送信ステップと、
前記通信装置が、前記コンテンツから特定の部分コンテンツを識別するコンテンツ識別ステップと、
前記通信装置が、前記コンテンツ識別ステップにおいて前記部分コンテンツが検知された場合、当該部分コンテンツを送信するための帯域の変動を要求するリソース要求ステップと、
前記コンテンツを配信するための帯域を制御する帯域制御装置が、前記リソース要求ステップにおける要求に応じて帯域変動を行う帯域変動ステップと、
セッション制御装置が、前記第一通信サーバ及び他の通信装置間の帯域予約状況を参照して、前記部分コンテンツの配信が予定されているか否かを判断し、配信が予定されていない他の通信に優先して帯域変動を行うよう前記帯域制御装置に指示する指示ステップとを備え、
前記第一通信サーバは、前記帯域変動ステップにおいて変動された帯域を用いて前記部分コンテンツを送信する、コンテンツ配信方法。
【発明の詳細な説明】
【技術分野】
【０００１】
本発明は、コンテンツ配信装置、コンテンツ配信システム及びコンテンツ配信方法に関する発明である。
【背景技術】
【０００２】
近年、ブロードバンドの普及に伴い、IP電話やテレビ会議、映像の配信といった音声や映像をリアルタイムに扱うシステムが浸透しつつある。
【０００３】
関連技術として、特許文献１がある。特許文献１は、端末装置がコンテンツ配信サブシステムにセッションの確立を要求し、ＳＩＰ（Session Initiation Protocol）セッション制御サブシステムがコンテンツ配信サブシステムから当該コンテンツの視聴に必要な帯域の情報を取得する。そして、ＳＩＰセッション制御サブシステムは帯域制御サブシステムに当該帯域情報に含まれる帯域値の帯域予約の要求を行って、帯域制御サブシステムで確保された帯域でコンテンツ配信サブシステムから端末装置に当該コンテンツを送信する技術を開示している。
【０００４】
その他にも、特許文献２は、映像配信装置が広告映像データをダウンロード方式で配信すると同時に、番組映像データをストリーミング配信により配信する。そして、視聴者端末が番組映像データを再生し、映像記録部記憶する広告映像データを指定された再生時刻に再生する技術を開示している。
【０００５】
また、特許文献３は、送信装置がコンテンツをダウンロード方式又はストリーミング配信で配信する際に、ユーザがダウンロード時間の短縮又は画質の向上を希望する場合、ユーザは受信装置を介して課金をする。そして、送信装置は課金を確認し、その課金額に相当する帯域等をユーザに割り当てる技術を開示している。
【０００６】
さらに、特許文献４は、ＩＰ網に設置されている交換機がＩＰ電話の通話を開始する際に、ユーザが情報配信を希望するか否かを識別する。そして、ユーザが情報配信を希望する場合は、音声帯域とは別個に情報配信帯域を設定することで、ユーザはＩＰ通話中に広告等の情報を利用することができるという技術を開示している。
【０００７】
ここで、コンテンツとは、例えば、一つ以上のファイルに格納された、映像、音声、又は、付帯情報からなる一組の情報である。具体的には、娯楽、教養、あるいは、ニュースなどの番組や、映画などである。コンテンツは、番組或いは映画などの本編、広告、公共通知などの映像、音声、又は付帯情報などの部分コンテンツを含んでいる。以下、「コンテンツ」または「部分コンテンツ」と記載がある場合は、ここで説明した「コンテンツ」または「部分コンテンツ」を示す。
【０００８】
【特許文献１】特開２００５−１２６５５
【特許文献２】特開２００４−１５９０５７
【特許文献３】特開２００５−５１４８６
【特許文献４】特開２００３−２９８７３９
【発明の開示】
【発明が解決しようとする課題】
【０００９】
しかし、上記４つの特許文献からでは、例えば、画質を劣化させたくない重要な部分コンテンツを送信する際に、自動的にコンテンツを配信するための帯域を変動させることができなかった。
【００１０】
特許文献１は、ユーザがコンテンツを選択した際に帯域を設定し、終始その帯域で当該コンテンツを受信しつづける構成を有しているため、重要な情報や画質を劣化させたくないシーンでもネットワーク
特許文献２は、各映像データから重要なシーンを抽出してその重要なシーンをダウンロード方式で配信する構成を有しているため、リアルタイムの動画配信には適用できない。また、特許文献２は重要なシーンについているフラグを識別する構成は視聴者端末が備えているため、送信装置では重要なシーンか否かを識別することはできない。
【００１１】
さらに、特許文献３は、ユーザが任意にダウンロード時間の短縮又は画質の向上を希望する場合に帯域を割り当てる構成を有しているため、コンテンツ配信側が意図的に画質の劣化を避けたい場合には適用できない。又、ユーザがダウンロード時間の短縮又は画質の向上を希望する場合でも、端末が自動的にコンテンツを認識し、ダウンロード時間の短縮又は画質の向上を図る構成を有しておらず、ユーザ自身が手動で指示しなければならない。
【００１２】
そして、特許文献４は、単に音声帯域と情報配信帯域とを別個に設けているだけの構成なので、重要な情報や画質を劣化させたくないシーンでもネットワークの輻輳等により画質が劣化してしまう。
【００１３】
従って、本願発明の目的の一つは、画質を劣化させたくない特定の部分コンテンツを送信する際に、自動的にコンテンツを配信するための帯域を変動させることができるコンテンツ配信システム、コンテンツ配信装置、及びコンテンツ配信方法を提供することである。
【課題を解決するための手段】
【００１４】
本発明のコンテンツ配信システムは、例えば、前記コンテンツから特定の部分コンテンツを識別するコンテンツ識別手段と、前記特定の部分コンテンツを送信するための帯域の変動を要求するリソース要求手段と、前記帯域変動要求を受信する受信手段と、前記帯域変動を行う帯域変動手段と、を備える。
【００１５】
また、本発明の通信サーバは、例えば、コンテンツを送信する送信手段と、特定の部分コンテンツを識別するコンテンツ識別手段と、特定の部分コンテンツを送信する帯域の変動を要求するリソース要求手段と、を備え、送信手段は、変動された帯域を通して特定の部分コンテンツを送信する
また、本発明のセッション制御装置は、例えば、帯域変動要求を受信する受信手段と、特定の部分コンテンツを流すための帯域変動にかかる帯域変動要求を、特定の部分コンテンツが流れていない他の通信より優先して、帯域を確保する制御手段と、を備える。
【００１６】
また、本発明のコンテンツ配信方法は、例えば、コンテンツを送信するにおいて、コンテンツを送信し、コンテンツの中から特定の部分コンテンツを識別し、特定の部分コンテンツを送信する帯域の変動を要求し、帯域変動要求に従って帯域変動を行い、変動された帯域を通して特定の部分コンテンツを送信する。
【発明の効果】
【００１７】
本願発明によれば、画質を劣化させたくない特定の部分コンテンツを送信する際に、自動的にコンテンツを配信するための帯域を変動させることができる。
【発明を実施するための最良の形態】
【００１８】
本発明の実施の形態について図面を参照しながら説明する。しかしながら、係る形態は本発明の技術的範囲を限定するものではない。また、図面には、かかる形態の説明に必要な構成要素のみを記載している。
（実施形態１）
実施形態１は、図２０のような構成を有するコンテンツ配信システムである。
【００１９】
実施形態１のコンテンツ配信システムは、例えば、コンテンツ識別手段１が特定の部分コンテンツを識別し、リソース要求手段２が当該特定の部分コンテンツを配信する際の帯域を変動するように指示する構成を有している。
【００２０】
そのため、特定の部分コンテンツが送信される際に、ユーザの使用している通信装置が関与することなく自動的に帯域を広げることができるので、ネットワークの輻輳等により画質が劣化することなく、コンテンツを送信している者の意図する重要な情報やシーンをユーザに提供することができる。
【００２１】
まず、実施形態１の構成を、図２０を用いて説明する。ただし、図２０には、本願発明の説明に必要な構成のみが示されている。実施形態１のコンテンツ配信システムは、図２０を参照の通り、コンテンツ識別手段１、リソース要求手段２、受信手段３、帯域変動手段４、又は送信手段５を有している。
【００２２】
次に、実施形態１の動作を説明する。
【００２３】
コンテンツ識別手段１が特定の部分コンテンツを検知すると、例えば、図示しない記憶手段に記憶されているリストより特定の部分コンテンツの配信に必要な帯域を調べる。そして、リソース要求手段２が受信手段３へ帯域変動を要求する（Ｓ１０６）。
【００２４】
帯域変動手段４は、リソース要求手段２より送られてきた帯域変動要求に従って帯域を変動する。
【００２５】
また、ここで、上記実施形態１のコンテンツ配信の配信方法は、ストリーミング配信方法でもよく、コンテンツを配信する方法なら何でもよい。
【００２６】
以上より、実施形態１のコンテンツ配信システムの顕著な効果の一つとして、例えば、画質を劣化させたくない特定の部分コンテンツを送信する際、自動的に帯域の変動を行うことができるという効果を奏する。
（実施形態２）
実施形態２は、図１乃至図３のような構成を有するコンテンツ配信システムである。
【００２７】
実施形態２のコンテンツ配信システムは、例えば、第一通信サーバ４０のコンテンツ識別手段４１が特定の部分コンテンツを識別し、セッション制御装置３０に当該特定の部分コンテンツを配信する際の帯域を変動するように指示する構成を有している。
【００２８】
そのため、特定の部分コンテンツが第一通信サーバから送信される際に、ユーザの使用している通信装置１０が関与することなく自動的に帯域を広げることができるので、ネットワークの輻輳等により画質が劣化することなく、コンテンツを送信している者の意図する重要な情報やシーンをユーザに提供することができる。
【００２９】
まず、実施形態２の構成を図１乃至図３を用いて説明する。ただし、図１及び図３には、本願発明の説明に必要な構成のみが示されている。実施形態２のコンテンツ配信システムは、図１を参照の通り、帯域制御装置２０、セッション制御装置３０、第一通信サーバ４０及びネットワーク５０を有している。
【００３０】
帯域制御装置２０は、セッション制御装置３０からの要求に基づき、通信装置１０と第一通信サーバ２０間の経路上にあるネットワーク５０内のルータ等の装置を制御することでコンテンツが通る帯域を確保することができる。帯域制御装置２０は、具体的には、リソース受付制御（RACS: Resource and Admission Control Subsystem）であってもよい。
【００３１】
図２はセッション制御装置３０の構成を表している。セッション制御装置３０は、受信手段３１及び制御手段３２を有する。
【００３２】
受信手段３１は、第一通信サーバ４０からの帯域変動要求を受信することができる。
【００３３】
制御手段３２は、帯域制御装置２０を使って、通信装置１０と第一通信サーバ２０間のセッション確立・終了を制御することができる。ここで、セッションとは、例えば、音声や動画をやりとりする通り道のことを指してもよい。また、セッション制御装置３０は、第一通信サーバ２０から要求されたコンテンツの配信に必要な帯域の予約を帯域制御装置20に指示することができる。さらに、セッション制御装置３０は、具体的には、ＩＭＳ（IP Multimedia Subsystem）であってもよい。
【００３４】
第一通信サーバ４０は、ＳＩＰ（Session Initiation Protocol）を用いて、セッション制御装置３０と連携し、通信装置１０とのセッションの確立を行う。
【００３５】
ここで、図３を用いて第一通信サーバ４０の構成を説明する。第一通信サーバ４０は、コンテンツ識別手段４１、リソース要求手段４２及び送信手段４３を有している。
【００３６】
コンテンツ識別手段４１は、配信するコンテンツが特定の部分コンテンツか否かを判別する。コンテンツの識別方法としては、例えば、コンテンツに識別子等を付与しておいてもよい。他にも、コンテンツの識別方法として、送信するコンテンツのファイル名、配信サーバの違い、又はコンテンツに付与されたメタデータを使用してもよい。そして、そのコンテンツが特定の部分コンテンツか否か、又はそのコンテンツを送信する際に必要な帯域情報等を対応付けた表を図示しない記憶手段に記憶させておき、この表を用いて特定の部分コンテンツか否かを判別し、必要な帯域を要求する構成とすることができる。
【００３７】
リソース要求手段４２は、特定の部分コンテンツを配信するのに必要な帯域をセッション制御装置３０に要求する。ここで、第一通信サーバ４０は、図示しない記憶手段に特定の部分コンテンツと必要な帯域とを対応づけたリストを記憶していてもよい。
【００３８】
送信手段４３は、ネットワーク５０を通して通信装置１０へのコンテンツ又は特定の部分コンテンツの送信を行う。
【００３９】
また、第一通信サーバ４０は、帯域の確保が出来た後、ＲＴＣＰ（Real-time Transport Control Protocol）等の映像配信制御プロトコル用いて特定の部分コンテンツの配信の制御を行うとともに、ＲＴＰ(Real-time Transport Protocol)などの映像配信プロトコルを用いて特定の部分コンテンツを通信装置１０へ配信する。
【００４０】
ネットワーク５０は、例えば、ルータ、ＳＩＰサーバ、レジストラ・サーバ又はプロキシ・サーバ等の機器を有する。また、ネットワーク５０は、帯域制御装置２０からの要求により、指定された通信の帯域確保などのＱｏＳ制御を行う機能を有する。
【００４１】
ここで、通信装置１０は、汎用なＰＣ（Personal Computer）等でよく、また、専用のPC、もしくはSTB（Set Top Box）として提供される通信端末、であってもよい。さらには、通信装置１０は無線通信端末であってもよい。
【００４２】
通信装置１０は、ユーザの操作により、ネットワーク５０を介して、ユーザの所望するコンテンツを第一通信サーバ４０から取得し、ディスプレイ等の出力装置に表示することができる。具体的には、通信装置１０は、サーバ４０からコンテンツを取得する際、ＳＩＰ等のセッション制御プロトコルに基づき、セッションの確立を行う。そして、通信装置１０は、第一通信サーバ４０及びセッション制御装置３０と連携して、コンテンツの受信に必要な帯域の確保を行う。
【００４３】
次に、図４を用いて実施形態２の動作を説明する。
【００４４】
通信装置１０は、セッション制御装置３０へ、ＳＩＰを用いた第一通信サーバ４０とのセッション確立要求をする（Ｓ１００）。
【００４５】
セッション制御装置３０は、通信装置１０からのセッション確立要求を受けてセッションを確立する（Ｓ１０１)。そして、確立したセッションにコンテンツ配信用の帯域を確保することを帯域制御装置２０へ指示する（Ｓ１０２）。ここで、第一通信サーバ４０がセッション制御装置３０へセッション確立要求を要求する構成としても良い。
【００４６】
帯域制御装置２０は、セッション制御装置からの指示に従って帯域を確保し（Ｓ１０３)、その旨を第一通信サーバ４０へ伝える。そして、第一通信サーバ４０の送信手段４３から通信装置１０へコンテンツ配信が開始される（Ｓ１０４)。ここで、第一通信サーバ４０からのコンテンツ配信は、通信装置１０からのコンテンツ配信要求を受け取ってから配信する構成としてもよい。
【００４７】
第一通信サーバ４０のコンテンツ識別手段４１が特定の部分コンテンツを検知すると（Ｓ１０５)、例えば、図示しない記憶手段に記憶されているリストより特定の部分コンテンツの配信に必要な帯域を調べる。そして、第一通信サーバ４０のリソース要求手段４２がセッション制御装置３０へ帯域変動を要求する（Ｓ１０６）。
【００４８】
セッション制御装置３０は、第一通信サーバ４０より送られてきた帯域変動要求に従って、帯域制御装置２０へ帯域の変動を要求する（Ｓ１０７）。帯域制御装置２０は、セッション制御装置３０からの指示に従って帯域を変動し（Ｓ１０８）、第一通信サーバ４０へその旨を伝える。そして、第一通信サーバ４０は帯域が変動したことを確認した上で特定の部分コンテンツを配信する（Ｓ１０９）。
【００４９】
ここで、上記実施形態２では第一通信サーバが特定の部分コンテンツを検知したとき、帯域変動を要求する構成を示した。しかし、第一通信サーバが特定の部分コンテンツを検知したとき、第一通信サーバ４０のCPUやファイルアクセスなどのリソースの優先的な確保を行う構成とすることもできる。
【００５０】
また、ここで、上記実施形態２のコンテンツ配信の配信方法は、ストリーミング配信方法でもよく、コンテンツを配信する方法なら何でもよい。
【００５１】
さらに、ここで、本実施例のセッション制御装置及び帯域制御装置の役割を、図５に示すように、QoS制御装置100が担ってもよい。
【００５２】
以上より、実施形態２のコンテンツ配信システムの顕著な効果の一つとして、例えば、画質を劣化させたくない特定の部分コンテンツを送信する際、そのデータにあった帯域を自動的に増加させたり、又は減少させたりすることができるという効果を奏する。
【００５３】
また、エフォート型のネットワークにおいて、特定の部分コンテンツを送信する帯域は、画質を劣化させないだけの帯域を必ず確保しておくことができるという効果を奏する。
（実施形態３）
実施形態３は、図６及び図７のような構成を有するコンテンツ配信システムである。
【００５４】
上記実施形態２では、例えば、第一通信サーバ４０が特定の部分コンテンツを検知し、図示していない記憶手段に記憶されているリストと対比することで特定の部分コンテンツを送信するのに必要な帯域を調べた。
【００５５】
実施形態３の特徴の一つは、例えば、特定の部分コンテンツが自身の送信に必要な帯域情報を有しており、第一通信サーバ６０のコンテンツ識別手段６１は特定の部分コンテンツから自身を送信するのに必要な帯域の情報を抽出してセッション制御装置３０に帯域変動を指示する構成を有している点である。
【００５６】
この構成により、実施形態３は、第一通信サーバ６０は記憶手段を有する必要はなく、各特定の部分コンテンツに帯域情報を含ませることで、実施形態２より動的に、又はフレキシブルに帯域変動を行うことができる。
【００５７】
まず、実施形態３の構成を図６及び図７を用いて説明する。ただし、図６及び図７には、本願発明の説明に必要な構成のみが示されている。実施形態３のコンテンツ配信システムは、図６を参照の通り、帯域制御装置２０、セッション制御装置３０、第一通信サーバ６０及びネットワーク５０を有している。ここで、実施形態２と同一の符号を付している装置等は、実施形態２と同様の構成及び動作を有している。
【００５８】
図７は第一通信サーバ６０の構成を示している。第一通信サーバ６０は、コンテンツ識別手段６１、リソース要求手段４２及び送信手段４３を有している。ここで、リソース要求手段４２及び送信手段４３は、実施形態２と同様の構成及び動作を有している。
【００５９】
コンテンツ識別手段６１は、実施形態２の構成及び動作に加えて、特定の部分コンテンツに含まれる帯域情報を抽出することができる。ここで、特定の部分コンテンツは、その帯域情報をＩＰヘッダー、ＵＤＰヘッダー、ＲＴＰヘッダー又はＲＴＰデータ等、帯域情報を含むことができる適当な部分に組み込む構成である。
【００６０】
次に、図８を用いて実施形態３の動作を説明する。ここで、Ｓ２０５以外で実施形態２と同一の符号を付している動作は、実施形態２と同様の動作を行うので説明を省略する。
【００６１】
第一通信サーバ６０のコンテンツ識別手段６１は、実施形態２で示した手段等により特定の部分コンテンツを検知すると、特定の部分コンテンツからその特定の部分コンテンツを送信するために必要な帯域の情報を抽出する（Ｓ２０５）。
【００６２】
以上より、実施形態３のコンテンツ配信システムの顕著な効果の一つとして、各特定の部分コンテンツ、例えばパケットデータ等に帯域情報を付与し、第一通信サーバ６０がパケットデータから帯域情報を抽出することで、より動的に、又フレキシブルに帯域変動を行うことができるという効果がある。
（実施形態４）
実施形態４は、図９及び図１０のような構成を有するコンテンツ配信システムである。
【００６３】
上記実施形態２では、例えば、第一通信サーバ４０がコンテンツ識別手段及びリソース要求手段を有している例を示した。
【００６４】
実施形態４の特徴の一つは、例えば、通信装置１００がコンテンツ識別手段及びリソース要求手段を有している点である。
【００６５】
この構成により、実施形態４では、第一通信サーバ４０がコンテンツ識別手段及びリソース要求手段を備える必要はなく、通信装置１００が特定の部分コンテンツを受信することを自動的に認識し、画質を劣化させたくない特定の部分コンテンツを送信する際、自動的に帯域の変動を行うことができる。
【００６６】
まず、実施形態４の構成を図９及び図１０を用いて説明する。ただし、図９及び図１０には、本願発明の説明に必要な構成のみが示されている。実施形態４のコンテンツ配信システムは、図９を参照の通り、通信装置１００、帯域制御装置２０、セッション制御装置３０、第一通信サーバ４０及びネットワーク５０を有している。ここで、実施形態２と同一の符号を付している装置等は、実施形態２と同様の構成及び動作を有している。
【００６７】
ただし、第一通信サーバ４０は、コンテンツ識別手段４１及びリソース要求手段４２を備えていない構成とすることもできる。
【００６８】
図１０は通信装置１００の構成を示している。通信装置１００は、コンテンツ識別手段１０１及びリソース要求手段１０２を備えている。また、通信装置１００は、第一通信サーバ４０より送信されてくるコンテンツの順序の情報などを図示しない記憶手段に記憶する等、コンテンツの進捗を確認することができる構成を有している。さらに、通信装置１００は、第一通信サーバ４０より送信されてくるコンテンツ、そのコンテンツが特定の部分コンテンツか否か、及びコンテンツを送信するための帯域情報等が対応付けられた対応表を図示しない記憶手段に記憶している。この対応表は、通信装置１００が第一通信サーバ４０から取得する構成としてもよい。
【００６９】
コンテンツ識別手段１０１は、進捗を確認し、次に送られてくるコンテンツが特定の部分コンテンツであることを検知することができる。
【００７０】
リソース要求手段１０２は、前記対応表に従って、特定の部分コンテンツを送信するのに必要な帯域情報を取得し、セッション制御装置３０に帯域の確保を要求する。
【００７１】
次に、図１１を用いて実施形態４の動作を説明する。ここで、Ｓ５０１及びＳ５０２以外で実施形態２と同一の符号を付している動作は、実施形態２と同様の動作を行うので説明を省略する。
【００７２】
通信装置１００のコンテンツ識別手段１０１は、第一通信サーバ４０より送られてくるコンテンツの進捗を確認し、次に送られてくるコンテンツが特定の部分コンテンツであるか否かを検知する（Ｓ５０１）。
【００７３】
特定の部分コンテンツであった場合、通信装置１００のリソース要求手段１０２は、図示しない記憶手段が記憶している対応表より、この特定の部分コンテンツを送信するのに必要な帯域情報を取得し、セッション制御装置３０に帯域変動の要求をする（Ｓ５０２）。
【００７４】
以上より、実施形態４のコンテンツ配信システムの顕著な効果の一つとして、第一通信サーバ４０がコンテンツ識別手段及びリソース要求手段を備える必要はなく、通信装置１００が特定の部分コンテンツを受信することを自動的に認識し、画質を劣化させたくない特定の部分コンテンツを送信する際、自動的に帯域の変動を行うことができる。
（実施形態５）
実施形態５は、図１２及び図１３のような構成を有するコンテンツ配信システムである。
【００７５】
実施形態５の特徴の一つは、例えば、セッション制御装置７０の受信手段３１が第一通信サーバ４０より帯域変動要求を受信すると、セッション制御装置７０の制御手段７２は帯域予約をしてきている他の通信（第一通信サーバ４０と通信装置１０間以外の通信）を参照し、他の通信の帯域予約の中に、特定の部分コンテンツを流そうとしている他の通信があるかを確認する。そして、制御手段７２は特定の部分コンテンツを流そうとしていない他の通信を検知すると、他の通信よりも優先して第一通信サーバ４０と通信装置１０間の帯域を確保することができる。
【００７６】
このような構成により、実施形態５は、他の通信より優先して帯域を確保することができ、かつ画質を損なうことなく特定の部分コンテンツを送信することができる。
【００７７】
まず、実施形態５の構成を図１２及び図１３を用いて説明する。ただし、図１２及び図１３には、本願発明の説明に必要な構成のみが示されている。実施形態５のコンテンツ配信システムは、図１２を参照の通り、帯域制御装置２０、セッション制御装置７０、第一通信サーバ４０及びネットワーク５０を有している。ここで、実施形態２と同一の符号を付している装置等は、実施形態２と同様の構成及び動作を有している。
【００７８】
図１３はセッション制御装置７０の構成を示している。セッション制御装置７０は、受信手段３１及び制御手段７２を有している。ここで、受信手段３１は、実施形態２と同様の構成及び動作を有している。
【００７９】
制御手段７２は、実施形態２の構成及び動作に加えて、セッション制御装置７０の受信手段３１が第一通信サーバ４０より帯域変動要求を受信すると、セッション制御装置７０の制御手段７２は帯域予約をしてきている他の通信を参照し、他の通信で特定の部分コンテンツを流そうとしているか否かを確認する。そして、制御手段７２は他の通信が特定の部分コンテンツを流そうとしていないことを検知すると、他の通信よりも優先して当該第一通信サーバ４０と通信装置１０間の帯域変動要求にかかる帯域を確保するよう帯域制御装置２０に指示する。
【００８０】
ここで、制御手段７２が受信した帯域要求が、特定の部分コンテンツを流すための帯域要求なのか否かを判断する方法としては、以下のようなものが考えられる。例えば、第一通信サーバ４０からの帯域変動要求に特定の部分コンテンツを流すための要求であることを示す識別子を付与する。又は、セッション制御装置７０にファイル名とそのファイルが特定の部分コンテンツであるか否かを対応付けた対応表を図示しない記憶手段に記憶させておく等の方法がある。しかし、これらに限られるものではなく、制御手段７２が受信した帯域要求が特定の部分コンテンツによった要求なのか否かを判断できる方法であればよい。
【００８１】
次に、図１４を用いて実施形態５の動作を説明する。ここで、Ｓ３０１以外で実施形態２と同一の符号を付している動作は、実施形態２と同様の動作を行うので説明を省略する。
【００８２】
セッション制御装置７０の受信手段３１が第一通信サーバ４０より帯域変動要求を受信すると、セッション制御装置７０の制御手段７２は帯域予約をしてきている他の通信を参照して、他の通信が特定の部分コンテンツを流そうとしているか否かを確認する。そして、制御手段７２は、他の通信が特定の部分コンテンツを流そうとしていないことを検知すると、他の通信よりも優先して当該第一通信サーバ４０と通信装置１０間の帯域変動要求にかかる帯域を確保するよう帯域制御装置２０へ指示する（Ｓ３０１）。
【００８３】
ここで、他の通信より帯域を優先的に確保する手段として、上記実施形態５では、セッション制御装置７０で優先順位をつける構成を示した。または、帯域制御装置２０に優先順位をつける構成を設けても良い。すなわち、セッション制御装置は帯域要求を受け取った順番通りに帯域制御装置へ帯域確保を指示し、帯域制御装置が実際に帯域を確保する際に、特定の部分コンテンツを流すための帯域要求を優先的に処理する構成とすることもできる。
【００８４】
以上より、実施形態５のコンテンツ配信システムの顕著な効果の一つとして、他の通信からの影響を受けずに、かつ画質を損なうことなく特定の部分コンテンツを送信することができるという効果がある。
【００８５】
また、上記実施形態５は上記実施形態２の構成及び動作にセッション制御装置の機能を加えたが、上記実施形態５のセッション制御装置の機能は、上記実施形態３又は３の構成及び動作に加えることもできる。
（実施形態６）
実施形態６は、図１５のような構成を有するコンテンツ配信システムである。
【００８６】
テレビ放送やインターネットの動画配信などの無料コンテンツは、一般に番組内に広告を挿入することで広告主から広告料を得ることにより、視聴者に対して無料でコンテンツの提供を行っている。すなわち、広告主は視聴者が広告を視聴してくれることにより、放送局又はコンテンツ配信業者に対価を支払っている。従って、放送局又はコンテンツ配信業者は、広告が視聴者の利用端末に対して、ある一定以上の品質で表示されることが求められる。
【００８７】
ここで、実施形態６の特徴の一つは、第一通信サーバ４０で特定の部分コンテンツとして広告を検知し、広告に対して帯域変動要求をして、かつセッション制御装置７０が優先的に帯域を割り当てることができる。
【００８８】
従って、上記課題に対し、放送局又はコンテンツ配信業者は、自動的に幅を広げた帯域を介して、広告を通信装置９０に送信することにより、画質の劣化をせずにユーザに広告を提供することが出来る。
【００８９】
まず、図１５を用いて実施形態６を説明する。ただし、図１５には、本願発明の説明に必要な構成のみが示されている。実施形態６のコンテンツ配信システムは、図１５を参照の通り、通信装置９０、帯域制御装置２０、セッション制御装置７０、第一通信サーバ４０、ネットワーク５０及び第二通信サーバ８０を有している。ここで、実施形態２乃至実施形態５と同一の符号を付している装置等は、実施形態２乃至実施形態５と同様の構成及び動作を有している。
【００９０】
第二通信サーバ８０は、一般にWWW（World Wide Web）サーバとして構成され、通信装置１０に対してコンテンツ情報を配信する。ここでコンテンツ情報とは、ユーザが視聴可能なコンテンツの電子番組表、ユーザが所望するコンテンツのセッション情報、コンテンツの配信順序、ファイル名、部分コンテンツが本編か広告かを示す識別子又はコンテンツあるいは部分コンテンツの帯域情報等を有するプレイリスト、及びコンテンツに関するメタ情報などのことを指す。
【００９１】
通信装置９０は、図１７参照の通り、制御手段９１を有している。制御手段９１は、ユーザがコンテンツを取得する際、ＨＴＴＰ（Hyper Text Transfer Protocol）またはHTTPS（Hypertext Transfer Protocol Security）などによって、WWWサーバである第二通信サーバ８０にアクセスし、ユーザが所望するコンテンツのセッション情報、プレイリスト及びコンテンツに関するメタ情報などを取得する機能を有する。
【００９２】
次に、図１６を用いて実施形態６の動作を説明する。
【００９３】
通信装置９０の制御手段９１は、第二通信サーバ８０から第一通信サーバ４０にアクセスするためのURLやSIPアドレスなどのセッション情報、及びプレイリスト又はコンテンツのタイトルなどのメタ情報などを取得する（Ｓ４００）。ここで、プレイリストとは、例えば、図１７に示されるような映像の配信順序を記述したものである。図１７の例によると、本編であるchapter1、広告であるcm3、本編であるchapter2、広告であるcm3の順で通信装置９０は配信を受けることを意味する。
【００９４】
通信装置９０は、第二通信サーバ８０から取得したセッション情報を用いて、ＳＩＰを介してセッション制御装置７０に第一通信サーバ４０とのセッションの確立を要求する（Ｓ４０１）。
【００９５】
セッション制御装置７０は、通信装置９０の要求に基づき、第一通信サーバ４０との間にＳＩＰを介したセッションの確立を行う（Ｓ４０２）。また、セッション制御装置７０は、帯域制御装置２０に対して、通信装置９０と第一通信サーバ４０間のセッションに映像配信制御用の帯域の確保を要求する（Ｓ４０３）。
【００９６】
帯域制御装置２０は、セッション制御装置７０の要求に従って帯域を確保し（Ｓ４０４）、確保できたらその旨を第一通信サーバ４０に伝える。
【００９７】
通信装置９０は第一通信サーバ４０との間のセッションの確立に成功すると、第一通信サーバ４０に対して映像配信制御プロトコルを用いてコンテンツ配信の開始を要求し、第一通信サーバ４０はコンテンツ配信を開始する（Ｓ４０５）。この際、通信装置９０は図１７に示されるようなプレイリストの順で第一通信サーバ４０に対して、映像の配信を要求する。ここで、上記で通信装置９０が第一通信サーバ４０に対してコンテンツ配信の開始要求をする構成を示したが、開始要求を行わず、セッションを確立した後に、第一通信サーバ４０がコンテンツを配信する構成としてもよい。
【００９８】
第一通信サーバ４０のコンテンツ識別手段４１は、配信コンテンツが広告か否かを識別する。以下に、識別方法の一例を示すが、識別方法はこれに限られるものではない。
【００９９】
配信する映像のファイル名から映像が本編か広告なのかを識別する。図示しない第一通信サーバ４０の記憶手段は、図１８に示されるようなファイル名とそれが本編映像か広告かについての情報をあらかじめ記憶している。例えば、通信装置９０からchapter1の映像を配信するよう要求された場合、第一通信サーバ４０の記憶手段に問い合わせ、chapter1は本編映像であること識別する。また、例えば、通信装置９０からcm3の映像を配信するよう要求された場合、第一通信サーバ４０の記憶手段に問い合わせ、cm3は広告映像であること識別する。
【０１００】
または、映像を配信するサーバの違いから配信コンテンツが広告か否かを識別する構成としても良い。
【０１０１】
ここで、第一通信サーバ４０が配信する映像を本編と検知した場合を考える。
【０１０２】
リソース要求手段４２は、ベストエフォートでの配信など特別なリソース確保を行わないか、現状の帯域のままで送信する。または、リソース要求手段４２は、図示しない記憶手段に記憶されている図１８等に従って、セッション制御装置７０に現在確保されている帯域から映像配信に必要な帯域分もしくはユーザの嗜好や料金プランによりあらかじめ決められている帯域情報を検知する。そして、この帯域を確保するために、帯域変更の要求などのリソースの要求をセッション制御装置７０に対して行う構成としても良い。具体的には、例えば、本編はＳＤ画質（解像度６４０×４８０）６Ｍｂｐｓで配信することができる。
【０１０３】
次に、第一通信サーバ４０が配信する映像を広告と検知した場合を考える。
【０１０４】
第一通信サーバ４０のリソース要求手段４２は、図示しない記憶手段に記憶されている図１８等に従って、この広告を送信するために必要な帯域情報を取得し、セッション制御装置７０に現在確保されている帯域から、広告映像に必要とされる帯域変動、又は優先的な確保を要求する（Ｓ４０７）。ここで、広告映像配信を検知した際に、第一通信サーバ４０のCPUやファイルアクセスなどのリソースの優先的な確保を行う構成とすることもできる。また、DiffServ（Differentiated Services）のようなパケットのクラス制御を行う構成とすることもできる。
【０１０５】
セッション制御装置７０の受信手段３１が第一通信サーバ４０より帯域変動要求を受信する。セッション制御装置７０の制御手段７２は帯域予約をしてきている他の通信を参照し、他の通信が広告映像を流そうとしているか否かを確認する。そして、制御手段７２は、他の通信が広告映像を流そうとしていないことを検知すると、他の通信よりも優先して当該通信装置９０と第一通信サーバ４０間の帯域変動要求にかかる帯域を確保するよう帯域制御装置２０へ指示する（Ｓ４０８）。
【０１０６】
帯域制御装置２０は、セッション制御装置７０からの上記指示に従って帯域変動を行う（Ｓ４０９）。そして、帯域確保が出来た場合、帯域制御装置２０はその旨を第一通信サーバ４０へ伝える。
【０１０７】
ここで、優先的に帯域を確保する構成を上記ではセッション制御装置７０に設けた。しかし、帯域制御装置２０に優先順位を設ける構成を設けてもよい。
【０１０８】
第一通信サーバ４０は、帯域変動が行われたことを確認した上で、広告の配信が行われる（Ｓ４１０）。具体的には、例えば、広告はＨＤ画質（解像度１２８０×７２０／１９２０×１０８０）１０Ｍｂｐｓで配信することができる。
【０１０９】
通信装置９０及び第一通信サーバ４０は、コンテンツの配信が終了すると、セッションの終了と確保していた帯域の開放を行う（Ｓ４１１）。
【０１１０】
ここで、上記実施形態６では第一通信サーバがコンテンツ識別手段及びリソース要求手段を備えている構成を示した。しかし、上記実施形態４のように、通信装置９０がコンテンツ識別手段及びリソース要求手段を備えている構成とすることもできる。この実施形態の場合には、通信装置９０は、第二通信サーバ８０からプレイリストの一例として図１９に示すようなものを取得する。他にも、セッション制御装置、帯域制御装置、プロキシサーバ又はホームゲートウェイがコンテンツ識別手段を備える構成とすることもできる。
【０１１１】
以上より、実施形態６は、第一通信サーバ４０で特定の部分コンテンツとして広告を検知し、広告に対して帯域変動要求をして、かつセッション制御装置７０が優先的に帯域を割り当てることができる。従って、実施形態６のコンテンツ配信システムの顕著な効果の一つとして、実施形態６は放送局又はコンテンツ配信業者は、自動的に広げた帯域を通して広告を通信装置９０に送信することにより、画質の劣化をせずにユーザに広告を提供することが出来るという効果を奏する。
【図面の簡単な説明】
【０１１２】
【図１】本発明の一実施形態のコンテンツ配信システムの構成を示す図である。
【図２】本発明の一実施形態のコンテンツ配信システムのセッション制御装置の構成を示す図である。
【図３】本発明の一実施形態のコンテンツ配信システムの第一通信サーバの構成を示す図である。
【図４】本発明の一実施形態のコンテンツ配信システムの動作を示す図である。
【図５】本発明の一実施形態のコンテンツ配信システムの構成を示す図である。
【図６】本発明の一実施形態のコンテンツ配信システムの構成を示す図である。
【図７】本発明の一実施形態のコンテンツ配信システムの第一通信サーバの構成を示す図である。
【図８】本発明の一実施形態のコンテンツ配信システムの動作を示す図である。
【図９】本発明の一実施形態のコンテンツ配信システムの構成を示す図である。
【図１０】本発明の一実施形態のコンテンツ配信システムの通信装置の構成を示す図である。
【図１１】本発明の一実施形態のコンテンツ配信システムの動作を示す図である。
【図１２】本発明の一実施形態のコンテンツ配信システムの構成を示す図である。
【図１３】本発明の一実施形態のコンテンツ配信システムのセッション制御装置の構成を示す図である。
【図１４】本発明の一実施形態のコンテンツ配信システムの動作を示す図である。
【図１５】本発明の一実施形態のコンテンツ配信システムの構成を示す図である。
【図１６】本発明の一実施形態のコンテンツ配信システムの動作を示す図である。
【図１７】本発明の一実施形態のコンテンツ配信システムの対応表を示す図である。
【図１８】本発明の一実施形態のコンテンツ配信システムの対応表を示す図である。
【図１９】本発明の一実施形態のコンテンツ配信システムの対応表を示す図である。
【図２０】本発明の一実施形態のコンテンツ配信システムの構成を示す図である。
【符号の説明】
【０１１３】
１      コンテンツ識別手段
２      リソース要求手段
３      受信手段
４      帯域変動手段
５      送信手段
１０    通信装置
２０    帯域制御装置
３０    セッション制御装置
３１    受信手段
３２    制御手段
４０    第一通信サーバ
４１    コンテンツ識別手段
４２    リソース要求手段
４３    送信手段
５０    ネットワーク
６０    第一通信サーバ
６１    コンテンツ識別手段
７０    セッション制御装置
７２    制御手段
８０    第二通信サーバ
９０    通信装置
９１    制御手段
１００    通信装置
１０１    コンテンツ識別手段
１０２    リソース要求手段
１１０    QoS制御装置
【図１】
0005115260.tif 000002
【図２】
0005115260.tif 000003
【図３】
0005115260.tif 000004
【図４】
0005115260.tif 000005
【図５】
0005115260.tif 000006
【図６】
0005115260.tif 000007
【図７】
0005115260.tif 000008
【図８】
0005115260.tif 000009
【図９】
0005115260.tif 000010
【図１０】
0005115260.tif 000011
【図１１】
0005115260.tif 000012
【図１２】
0005115260.tif 000013
【図１３】
0005115260.tif 000014
【図１４】
0005115260.tif 000015
【図１５】
0005115260.tif 000016
【図１６】
0005115260.tif 000017
【図１７】
0005115260.tif 000018
【図１８】
0005115260.tif 000019
【図１９】
0005115260.tif 000020
【図２０】
0005115260.tif 000021